【手続補正書】
【提出日】平成17年9月1日(2005.9.1)
【手続補正１】
【補正対象書類名】特許請求の範囲
【補正対象項目名】全文
【補正方法】変更
【補正の内容】
【特許請求の範囲】
【請求項１】
患者の手術部位で電気外科手術を実施するようになった電気外科手術装置であって、該装置は、
多数の特性を有しているガス分子を供給して、励起状態になるまで特定周波数でエネルギー投与されるようにした環境ガス源と、
ガス源に連結され、且つ、手術部位の近位にガス分子を搬送するようになった第１の搬送装置と、
環境ガスの特定周波数の概ね整数倍に等しい周波数で、また、ガス分子を励起するのに凡そ十分な出力でレーザーエネルギーを供給するレーザービームを生成するようになったレーザーと、
レーザーに連結され、且つ、手術部位に向けて通じている経路に沿ってレーザービームを搬送する第２の搬送装置と、
電気外科手術用の電力を供給する電気外科手術用の電気発生器と、
電気外科手術用の電気発生器に連結され、且つ、手術部位に向かう経路に沿って電気外科手術用の電力を搬送するようになった第３の搬送装置とを備えている、電気外科手術装置。
【請求項２】
前記レーザーエネルギーは、前記経路に沿って前記ガス分子をイオン化するのに凡そ十分な量が供給される、請求項１に記載の電気外科手術装置。
【請求項３】
前記電気外科手術用の電力は、前記レーザーにより励起された前記ガス分子をイオン化するのに凡そ十分な量が供給される、請求項２に記載の電気外科手術装置。
【請求項４】
前記ガス源は第１のガスの分子を供給し、
前記レーザーは第２のガスの分子を含有している環境で前記レーザーエネルギーを生成する特性を有している、請求項１に記載の電気外科手術装置。
【請求項５】
前記第１のガスは前記第２のガスの分子を含有している、請求項４に記載の電気外科手術装置。
【請求項６】
前記第１のガスと前記第２のガスは、二酸化炭素、アルゴン、および、ヘリウムのうちの少なくとも１つの分子を含有している、請求項４に記載の電気外科手術装置。
【請求項７】
前記レーザーは第１のレーザーであり、前記レーザービームは第１のレーザービームであり、前記装置は、
患者の手術部位の近位で第１のレーザービームと共に収束する第２のレーザービームを生成する第２のレーザーを更に備えている、請求項１に記載の電気外科手術装置。
【請求項８】
前記第１のレーザービームは出力、温度、周波数、および、断面形状などからなる特性を有しており、
前記第２のレーザービームは出力、温度、周波数、および、断面形状などからなる特性を有しており、
第１のレーザービームの特性のうちの少なくとも１つは第２のレーザービームのそれぞれの特性とは異なっている、請求項７に記載の電気外科手術装置。
【請求項９】
前記電気外科手術装置はハウジングを有しているハンドピースを備えており、
前記第１の搬送装置、前記第２の搬送装置、および、前記第３の搬送装置の少なくとも各部がハンドピースのハウジング内に配置されている、請求項１に記載の電気外科手術装置。
【請求項１０】
第１の顎部およびこれに対向する第２の顎部を更に備えており、
前記第１の搬送装置は第１の顎部に配置されており、
前記第２の搬送装置は第１の顎部と第２の顎部のうちの一方に配置されており、
前記第３の搬送装置は第１の顎部と第２の顎部のうちの一方に配置されている、請求項１に記載の電気外科手術装置。
【請求項１１】
患者の腹腔の手術部位で腹腔鏡電気外科手術を実施するための電気外科手術装置であって、該装置は、
多数の特性を有しているガス分子を供給し、励起状態になるまで特定周波数でエネルギー投与されるようにした環境遮断ガス源と、
ガス源に連結され、且つ、手術部位の近位にガス分子を搬送するようになった第１の搬送装置と、
環境ガスの特定周波数の概ね整数倍に等しい周波数で、また、ガス分子を励起するのに凡そ十分な出力でレーザーエネルギーを供給するレーザービームを生成するようになったレーザーと、
レーザーに連結され、且つ、手術部位に向けて通じている経路に沿ってレーザービームを搬送する第２の搬送装置と、
電気外科手術用の電力を供給する電気外科手術用の電気発生器と、
電気外科手術用の電気発生器に連結され、且つ、手術部位に向かう経路に沿って電気外科手術用の電力を搬送するようになった第３の搬送装置と、
ハウジングおよび該ハウジングから延びている細長いプローブを有しているハンドピースとを備えており、
少なくとも第３の搬送装置はハンドピースのプローブを通って延びている、電気外科手術装置。
【請求項１２】
前記第２の搬送装置は前記ハンドピースの前記プローブを通って延びている、請求項１１に記載の電気外科手術装置。
【請求項１３】
前記第１の搬送装置は前記ハンドピースの前記プローブを通って延びている、請求項１２に記載の電気外科手術装置。
【請求項１４】
前記ガス源は前記ハンドピースの前記ハウジングに配置されている、請求項１１に記載の電気外科手術装置。
【請求項１５】
前記レーザーは前記ハンドピースの前記ハウジングに配置されている、請求項１１に記載の電気外科手術装置。
【請求項１６】
前記レーザーはバッテリーと、バッテリーにより電力投与されるレーザー発生装置とから構成される、請求項１１に記載の電気外科手術装置。
【請求項１７】
前記バッテリーは再充電可能である。請求項１６に記載の電気外科手術装置。
【請求項１８】
前記ガス源は前記ハンドピースの前記ハウジングに包含されている、請求項１５に記載の電気外科手術装置。
【請求項１９】
近位端および遠位端を有しているカテーテルであって、カテーテルは身体導管内で電気外科手術を実施するのに適しており、該カテーテルは、
カテーテルの遠位端まで延びている細長いシャフトと、
シャフトによって保持され、カテーテルの概ね遠位端付近に配置されているバルーンとを備えており、バルーンは壁を有しており、レーザーにより励起され得る分子を含んでいる膨張ガスにより膨張可能であり、
バルーンの各部が、バルーンから膨張ガスを制御しながら放散するのに備えた少なくとも１個の穴を画定しており、該カテーテルは、
膨張ガスでバルーンを膨張させ、バルーンの少なくとも１個の穴を通して膨張ガスの一部を放散させるようにした膨張装置と、
バルーンの壁に沿って配置された光ファイバーを有しているレーザー装置とを更に備えており、光ファイバーは膨張ガス中にレーザーエネルギーを放出して経路に沿ってガスの分子を励起させるのに適しており、該カテーテルは、
バルーンの壁に沿って配置された電極を有している電気外科手術装置を更に備えており、電極は経路に沿って電気外科手術用のエネルギーを放出して、身体導管内で電気外科手術を実施するのに適している、カテーテル。
【請求項２０】
前記バルーンの前記壁は内表面を有しており、前記光ファイバーはバルーンの壁の内表面に沿って配置されている、請求項１９に記載のカテーテル。
【請求項２１】
前記光ファイバーは側面光ファイバーである、請求項２０に記載のカテーテル。
【請求項２２】
前記バルーンの前記壁は外表面を有しており、前記電気外科手術用の電極はバルーンの壁の外表面に沿って配置されている、請求項１９に記載のカテーテル。
【請求項２３】
前記レーザー装置の前記光ファイバーは前記バルーンの前記壁の前記外表面に沿って配置されている、請求項２２に記載のカテーテル。
【請求項２４】
前記バルーンの前記穴、前記レーザーシステムの前記光ファイバー、および、前記電気外科手術システムの前記電極は前記カテーテルの前記シャフトの概ね長軸線方向に配置されている、請求項１９に記載のカテーテル。
【請求項２５】
前記膨張ガスは励起周波数を有しており、前記レーザー装置の前記レーザーエネルギーは前記励起周波数の概ね整数倍に等しい放電周波数を有している、請求項１９に記載のカテーテル。